(57)【特許請求の範囲】
【請求項１】
制御や監視の対象となる空調機器にニューロンチップと呼ばれるＬＳＩを組み込んだ制御器を付帯させ、下位ネットワーク回線であるＬｏｎｗｏｒｋｓ回線と、中央監視装置が接続された上位ネットワーク回線との間に設けたゲートウエイにより、両回線おのおのの通信プロトコルを変換し、中央監視装置から起動や停止の指令信号、温度や風量設定信号を制御器へ送信して空調機器を分散制御する空調機器運転方法であって、空調機器に対する作動電力の停電が解消した際に、空調機器に付帯する制御器から、下位ネットワーク回線を介してゲートウエイへ機器停止信号を送信し、当該信号に応じて、ゲートウエイから下位ネットワーク回線を介して制御器へ空調機器を起動させる指令信号、及び空調機器運転条件に関する設定信号を、空調機器に付帯する制御器が機器停止信号を出力した際にイベントドリブン通信として送信することを特徴とする空調機器運転方法。
【請求項２】
制御や監視の対象となる空調機器にニューロンチップと呼ばれるＬＳＩを組み込んだ制御器を付帯させ、下位ネットワーク回線であるＬｏｎｗｏｒｋｓ回線と、中央監視装置が接続された上位ネットワーク回線との間に設けたゲートウエイにより、両回線おのおのの通信プロトコルを変換し、中央監視装置から起動や停止の指令信号、温度や風量設定信号を制御器へ送信して空調機器を分散制御する空調機器運転方法であって、空調機器に対する作動電力の停電が解消した際に、空調機器に付帯する制御器から、下位ネットワーク回線を介してゲートウエイへ機器停止信号を送信し、当該信号に応じて、ゲートウエイから下位ネットワーク回線を介して制御器へ空調機器を起動させる指令信号、及び空調機器運転条件に関する設定信号を、空調機器に付帯する制御器が機器停止信号を出力した際にイベントドリブン信号として送信し、また、ゲートウエイから停電検知信号を上位ネットワーク回線を介して中央監視装置へ送信することを特徴とする空調機器運転方法。
【請求項３】
制御や監視の対象となる空調機器にニューロンチップと呼ばれるＬＳＩを組み込んだ制御器を付帯させ、下位ネットワーク回線であるＬｏｎｗｏｒｋｓ回線と、空調機器を起動させる指令信号や空調機器運転条件に関する設定信号を制御器に送信する中央監視装置が接続された上位ネットワーク回線との間に、両回線おのおのの通信プロトコルを変換するゲートウエイを設け、空調機器を分散制御する空調機器運転システムであって、空調機器に付帯する制御器を、空調機器に対する作動電力の停電解消後に機器停止信号を出力し得るように構成し、前記ゲートウエイを、空調機器に付帯する制御器から機器停止信号を下位ネットワーク回線を介して受信した際に、空調機器を起動させる指令信号、及び空調機器運転条件に関する設定信号をイベントドリブン通信として下位ネットワーク回線を介して制御器へ送信し得るように構成したことを特徴とする空調機器運転システム。
【請求項４】
制御や監視の対象となる空調機器にニューロンチップと呼ばれるＬＳＩを組み込んだ制御器を付帯させ、下位ネットワーク回線であるＬｏｎｗｏｒｋｓ回線と、空調機器を起動させる指令信号や空調機器運転条件に関する設定信号を制御器に送信する中央監視装置が接続された上位ネットワーク回線との間に、両回線おのおのの通信プロトコルを変換するゲートウエイを設け、空調機器を分散制御する空調機器運転システムであって、空調機器に付帯する制御器を、空調機器に対する作動電力の停電解消後に機器停止信号を出力し得るように構成し、前記ゲートウエイを、空調機器に付帯する制御器から機器停止信号を下位ネットワーク回線を介して受信した際に、空調機器を起動させる指令信号、及び空調機器運転条件に関する設定信号をイベントドリブン通信として下位ネットワーク回線を介して制御器へ送信し、且つ停電検知信号を上位ネットワーク回線を介して中央監視装置に送信し得るように構成したことを特徴とする空調機器運転システム。
【発明の詳細な説明】
【０００１】
【発明の属する技術分野】
本発明は空調機器運転方法及びシステムに関するものである。
【０００２】
【従来の技術】
近年、ＬＯＮ（Local Operation Network）技術を応用したＬｏｎＷｏｒｋｓ（米国エシェロン社／Echelon Corporationの登録商標）によって、ビルに設置される空気調和装置、可変風量装置などを分散制御することが検討されている。
【０００３】
図２はＬｏｎＷｏｒｋｓを用いた空調機器運転システムの一例を示すもので、この空調機器運転システムでは、制御や監視の対象となるＡＨＵ（Air Handling Unit：空気調和装置）１、及びＡＨＵ１から送出される冷風または温風の量を調整するＶＡＶ（Variable Air Volume：可変風量装置）２に、ＬｏｎＷｏｒｋｓ回線（下位ネットワーク回線）３に接続可能なコントローラ４を設けている。
【０００４】
コントローラ４には、ニューロンチップ（Neuron Chip）と呼ばれるＬＳＩを組み込んであり、該ニューロンチップにより、相互通信や機器の制御が行なえるようになっている。
【０００５】
また、ＡＨＵ１とＶＡＶ２には、これら装置に対して作動電力を送給するための動力線５が接続されている。
【０００６】
更に、空調機器運転システムの中央監視装置６が接続された上位ネットワーク回線７とＬｏｎＷｏｒｋｓ回線３の間に、上位ネットワークの通信プロトコルをＬｏｎＷｏｒｋｓに応じた通信プロトコルに変換し且つＬｏｎＷｏｒｋｓの通信プロトコルを上位ネットワークに応じた通信プロトコルに変換するゲートウエイ８を設けている。
【０００７】
図２に示す空調機器運転システムにおいては、中央監視装置６から上位ネットワーク回線７、ゲートウエイ８、及びＬｏｎＷｏｒｋｓ回線３を介して、ＡＨＵ１、ＶＡＶ２のコントローラ４に起動や停止の指令信号、並びに温度や風量などの設定信号を送信し、ＡＨＵ１、ＶＡＶ２に付帯のセンサにより得た温度や風量などの情報信号を、ＬｏｎＷｏｒｋｓ回線３、ゲートウエイ８、及び上位ネットワーク回線７を介して、中央監視装置６へ送信する。
【０００８】
また、ゲートウエイ８からＡＨＵ１やＶＡＶ２の各コントローラ４には、設定信号を一定間隔ごとに送信するポーリング通信を採用している。
【０００９】
これにより、動力線５からＡＨＵ１やＶＡＶ２への作動電力の送給が微小時間だけ中断する瞬時停電が発生して、コントローラ４の温度や風量の設定値が消去されても、一定間隔ごとにゲートウエイ８から設定信号がコントローラ４へ送信されるので、ＡＨＵ１やＶＡＶ２を停電発生前の設定値に基づき、継続運転することができる。
【００１０】
【発明が解決しようとする課題】
しかしながら、従来の空調機器運転システムでは、設定信号が一定間隔ごとにコントローラ４へ送信されているので、ＬｏｎＷｏｒｋｓ回線３が常に混雑した状態になっているので、始業時刻、または終業時刻に応じて、ＡＨＵ１やＶＡＶ２の多数が同時に起動、あるいは停止する際に、ゲートウエイ８から指令信号がコントローラ４へ伝達されにくくなり、空調設備の起動、あるいは停止が速やかに行なわれない。
【００１１】
本発明は上述した実情に鑑みてなしたもので、ネットワーク回線の混雑を解消可能な空調機器運転方法及びシステムを提供することを目的としている。
【００１２】
【課題を解決するための手段】
上記目的を達成するため、請求項１に記載の発明では、制御や監視の対象となる空調機器にニューロンチップと呼ばれるＬＳＩを組み込んだ制御器を付帯させ、下位ネットワーク回線であるＬｏｎｗｏｒｋｓ回線と、中央監視装置が接続された上位ネットワーク回線との間に設けたゲートウエイにより、両回線おのおのの通信プロトコルを変換し、中央監視装置から起動や停止の指令信号、温度や風量設定信号を制御器へ送信して空調機器を分散制御する空調機器運転方法であって、空調機器に対する作動電力の停電が解消した際に、空調機器に付帯する制御器から、下位ネットワーク回線を介してゲートウエイへ機器停止信号を送信し、当該信号に応じて、ゲートウエイから下位ネットワーク回線を介して制御器へ空調機器を起動させる指令信号、及び空調機器運転条件に関する設定信号を、空調機器に付帯する制御器が機器停止信号を出力した際にイベントドリブン通信として送信する。
【００１３】
請求項２に記載の発明では、制御や監視の対象となる空調機器にニューロンチップと呼ばれるＬＳＩを組み込んだ制御器を付帯させ、下位ネットワーク回線であるＬｏｎｗｏｒｋｓ回線と、中央監視装置が接続された上位ネットワーク回線との間に、両回線おのおのの通信プロトコルを変換するゲートウエイを設けた空調機器運転システムにより、中央監視装置から起動や停止の指令信号、温度や風量設定信号を制御器へ送信して空調機器を分散制御する空調機器運転方法であって、空調機器に対する作動電力の停電が解消した際に、空調機器に付帯する制御器から、下位ネットワーク回線を介してゲートウエイへ機器停止信号を送信し、当該信号に応じて、ゲートウエイから下位ネットワーク回線を介して制御器へ空調機器を起動させる指令信号、及び空調機器運転条件に関する設定信号を、空調機器に付帯する制御器が機器停止信号を出力した際にイベントドリブン信号として送信し、また、ゲートウエイから停電検知信号を上位ネットワーク回線を介して中央監視装置へ送信する。
【００１４】
請求項３に記載の発明では、制御や監視の対象となる空調機器にニューロンチップと呼ばれるＬＳＩを組み込んだ制御器を付帯させ、下位ネットワーク回線であるＬｏｎｗｏｒｋｓ回線と、空調機器を起動させる指令信号や空調機器運転条件に関する設定信号を制御器に送信する中央監視装置が接続された上位ネットワーク回線との間に、両回線おのおのの通信プロトコルを変換するゲートウエイを設け、空調機器を分散制御する空調機器運転システムであって、空調機器に付帯する制御器を、空調機器に対する作動電力の停電解消後に機器停止信号を出力し得るように構成し、前記ゲートウエイを、空調機器に付帯する制御器から機器停止信号を下位ネットワーク回線を介して受信した際に、空調機器を起動させる指令信号、及び空調機器運転条件に関する設定信号をイベントドリブン通信として下位ネットワーク回線を介して制御器へ送信し得るように構成している。
【００１５】
請求項４に記載の発明では、制御や監視の対象となる空調機器にニューロンチップと呼ばれるＬＳＩを組み込んだ制御器を付帯させ、下位ネットワーク回線であるＬｏｎｗｏｒｋｓ回線と、空調機器を起動させる指令信号や空調機器運転条件に関する設定信号を制御器に送信する中央監視装置が接続された上位ネットワーク回線との間に設けたゲートウエイにより、両回線おのおのの通信プロトコルを変換し、空調機器を分散制御する空調機器運転システムであって、空調機器に付帯する制御器を、空調機器に対する作動電力の停電解消後に機器停止信号を出力し得るように構成し、前記ゲートウエイを、空調機器に付帯する制御器から機器停止信号を下位ネットワーク回線を介して受信した際に、空調機器を起動させる指令信号、及び空調機器運転条件に関する設定信号をイベントドリブン通信として下位ネットワーク回線を介して制御器へ送信し、且つ停電検知信号を上位ネットワーク回線を介して中央監視装置に送信し得るように構成している。
【００１６】
本発明の請求項１、請求項２に記載の空調機器運転方法、あるいは請求項３、請求項４に記載の空調機器運転システムのいずれにおいても、停電が解消した後に制御器が送信する機器停止信号に応じて、ゲートウエイが制御器へ指令信号と設定信号を送信し、ゲートウエイと制御器との間に介在するネットワーク回線の混雑を解消する。
【００１７】
これに加えて、本発明の請求項２に記載の空調機器運転方法、あるいは請求項４に記載の空調機器運転システムのいずれにおいても、ゲートウエイが停電検知信号を中央監視装置へ送信し、空調機器の運転管理者に停電の発生を通知する。
【００１８】
【発明の実施の形態】
以下、本発明の実施の形態を、図示例とともに説明する。
【００１９】
図１は本発明の空調機器運転システムの実施の形態の一例を示すものであり、図中、図２と同一の符号を付した部分は同一物を表わしている。
【００２０】
この空調機器運転システムは、ＡＨＵ１、及びＶＡＶ２に、ＬｏｎＷｏｒｋｓ回線（下位ネットワーク回線）３に接続可能なコントローラ（制御器）９を設けている。
【００２１】
コントローラ９には、ニューロンチップが組み込んであり、相互通信や機器の制御が行なえるようになっている。
【００２２】
このコントローラ９は、動力線５からＡＨＵ１やＶＡＶ２への作動電力の送給が中断する停電が発生し且つ当該停電が解消したときに、ＡＨＵ１、ＶＡＶ２を直ちに再起動させずに、機器停止信号を出力するように構成されている。
【００２３】
更に、空調機器運転システムの中央監視装置６が接続された上位ネットワーク回線７とＬｏｎＷｏｒｋｓ回線３の間に、上位ネットワークの通信プロトコルをＬｏｎＷｏｒｋｓに応じた通信プロトコルに変換し且つＬｏｎＷｏｒｋｓの通信プロトコルを上位ネットワークに応じた通信プロトコルに変換するゲートウエイ１０を設けている。
【００２４】
ゲートウエイ１０は、コントローラ９からの機器停止信号をＬｏｎＷｏｒｋｓ回線３を介して受信した際に、ＡＨＵ１やＶＡＶ２を再起動させる指令信号と、これら機器の運転条件に応じた温度や風量などの設定信号を、ＬｏｎＷｏｒｋｓ回線３を介してコントローラ９へ送信し、停電検知信号を上位ネットワーク回線７を介して中央監視装置６に送信するように構成されている。
【００２５】
すなわち、ゲートウエイ１０からコントローラ９への設定信号の送信は、当該コントローラ９が機器停止信号を出力した際に行なわれるイベントドリブン通信を採用している。
【００２６】
これにより、動力線５からＡＨＵ１やＶＡＶ２への作動電力の送給が微小時間だけ中断する瞬時停電が発生した直後に、コントローラ９からゲートウエイ１０へ機器停止信号が送信され、ゲートウエイ１０からコントローラ９へＡＨＵ１やＶＡＶ２の再起動させる指令信号と、温度や風量に関する設定信号が送信され、ＡＨＵ１やＡＶＡ２が瞬時停電前の設定値に基づき、継続運転される。
【００２７】
また、ゲートウエイ１０が機器停止信号を受信すると、当該ゲートウエイ１０から中央監視装置６へ停電検知信号が送信され、空調機器の運転管理者が、瞬時停電の発生を認識できる。
【００２８】
このように、上述した空調機器運転システムでは、コントローラ９からの機器停止信号に応じて、ゲートウエイ１０がコントローラ９へ、指令信号と設定信号を送信するので、ＬｏｎＷｏｒｋｓ回線３が混雑することを解消できる。
【００２９】
よって、ＡＨＵ１やＶＡＶ２の多数が同時に起動、あるいは停止する場合に、ゲートウエイ１０から指令信号がコントローラ９へ伝達されにくくならず、空調設備の起動、あるいは停止を速やかに行なえる。
【００３０】
なお、本発明の空調機器運転方法及びシステムは、上述した実施の形態のみに限定されるものではなく、本発明の要旨を逸脱しない範囲内において変更を加え得ることは勿論である。
【００３１】
【発明の効果】
以上述べたように、本発明の空調機器運転方法及びシステムによれば、下記のような種々の優れた効果を奏し得る。
【００３２】
（１）本発明の請求項１、請求項２に記載の空調機器運転方法、あるいは請求項３、請求項４に記載の空調機器運転システムのいずれにおいても、停電が解消した後に制御器が送信する機器停止信号に応じて、ゲートウエイが制御器へ指令信号と設定信号を送信するので、ゲートウエイと制御器との間に介在するネットワーク回線の混雑を解消することができ、空調機器の起動、または停止を速やかに行なえる。
【００３３】
（２）本発明の請求項２に記載の空調機器運転方法、あるいは請求項４に記載の空調機器運転システムのいずれにおいても、制御器が送信する機器停止信号に応じて、ゲートウエイが停電検知信号を中央監視装置へ送信するので、空調機器の運転管理者が瞬時停電の発生を把握できる。
【図面の簡単な説明】
【図１】本発明の空調機器運転システムの実施の形態の一例を示す概念図である。
【図２】従来の空調機器運転システムの一例を示す概念図である。
【符号の説明】
１    ＡＨＵ（空調機器）
２    ＶＡＶ（空調機器）
３    ＬｏｎＷｏｒｋｓ回線（ネットワーク回線）
６    中央監視装置
７    上位ネットワーク回線（ネットワーク回線）
９    コントローラ（制御器）
１０  ゲートウエイ
【図１】
0004230133.tif 000002
【図２】
0004230133.tif 000003